【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
音響信号をエンコードするためのエンコーダまたは音響信号をデコードするためのデコーダのCELPコアモジュールの複数の第1の部分にビット配分を割り振る方法であって、
前記第1のCELPコアモジュール部分に個々のビット配分を、複数の中間ビットレートのそれぞれに対して割り当てるビット配分割振テーブルを格納するステップと、
CELPコアモジュールのビットレートを決定するステップと、
前記決定したCELPコアモジュールのビットレートに基づいて前記中間ビットレートのうちの1つを選択するステップと、
前記選択した中間ビットレートについての前記ビット配分割振テーブルによって割り当てられた前記個々のビット配分を、前記第1のCELPコアモジュール部分に割り振るステップと
を含む、ビット配分を割り振る方法。
【請求項２】
前記CELPコアモジュールが、第2の部分を含み、前記ビット配分割振方法が、前記選択した中間ビットレートについての前記ビット配分割振テーブルによって割り当てられた前記個々のビット配分を前記第1のCELPコアモジュール部分に割り振った後に残ったビット配分を、前記第2のCELPコアモジュール部分に割り振るステップを含む、請求項1に記載のビット配分割振方法。
【請求項３】
前記第1のCELPコアモジュール部分が、LPフィルタ係数、CELP適応コードブック、CELP適応コードブック利得、およびCELPイノベーションコードブック利得のうちの少なくとも1つを含む、請求項1または2に記載のビット配分割振方法。
【請求項４】
前記第2のCELPコアモジュール部分が、CELPイノベーションコードブックを含む、請求項2または3に記載のビット配分割振方法。
【請求項５】
前記中間ビットレートのうちの1つを選択するステップが、前記中間ビットレートの、前記CELPコアモジュールのビットレートに最も近い高い方の1つを選択するステップを含む、請求項1から4のいずれか一項に記載のビット配分割振方法。
【請求項６】
前記中間ビットレートのうちの1つを選択するステップが、前記中間ビットレートの、前記CELPコアモジュールのビットレートに最も近い低い方の1つを選択するステップを含む、請求項1から4のいずれか一項に記載のビット配分割振方法。
【請求項７】
前記音響信号の連続フレームの全てのサブフレームの間に前記第2のCELPコアモジュール部分のビット配分を分配するステップを含む、請求項2から6のいずれか一項に記載のビット配分割振方法。
【請求項８】
CELPコアモジュールおよび補足コーデックモジュールを使用して音響信号をエンコードまたはデコードするための方法であって、
前記補足コーデックモジュールにビット配分を割り振るステップと、
CELPコアモジュールのビット配分を決定するために前記補足コーデックモジュールのビット配分をトータルコーデックのビット配分から減算するステップと、
前記第1のCELPコアモジュール部分に前記CELPコアモジュールのビット配分を割り振るために、請求項1から7のいずれか一項に記載の方法を使用するステップであって、前記CELPコアモジュールのビットレートが、前記CELPコアモジュールのビット配分に基づいて決定される、ステップと
を含む、音響信号をエンコードまたはデコードするための方法。
【請求項９】
CELPコアモジュールおよび補足コーデックモジュールを使用して音響信号をエンコードまたはデコードするための方法であって、
コーデックシグナリングに第1のビット配分を割り振るステップと、
前記補足コーデックモジュールに第2のビット配分を割り振るステップと、
CELPコアモジュールのビット配分を決定するために前記第1および第2のビット配分をトータルコーデックのビット配分から減算するステップと、
前記第1のCELPコアモジュール部分に前記CELPコアモジュールのビット配分を割り振るために、請求項1から7のいずれか一項に記載の方法を使用するステップであって、前記CELPコアモジュールのビットレートが、前記CELPコアモジュールのビット配分に基づいて決定される、ステップと
を含む、音響信号をエンコードまたはデコードするための方法。
【請求項１０】
前記CELPコアモジュールのビットレートを決定するステップが、
CELPコアモジュールシグナリングにビット配分を割り振るステップと、
前記CELPコアモジュールのビットレートを決定する際に使用されるCELPコアモジュール部分のためのビット配分を決定するために、CELPコアモジュールシグナリングビット配分を前記CELPコアモジュールのビット配分から減算するステップと
を含む、請求項8または9に記載の音響信号をエンコードまたはデコードするための方法。
【請求項１１】
前記補足コーデックモジュールが、ステレオモジュールおよび帯域幅拡張モジュールのうちの少なくとも1つを備える、請求項8から10のいずれか一項に記載の音響信号をエンコードまたはデコードするための方法。
【請求項１２】
(a)前記補足コーデックモジュールに割り振られた前記ビット配分、(b)前記第1のCELPコアモジュール部分に割り振られた前記ビット配分、および(c)前記第2のCELPコアモジュール部分に割り振られた前記ビット配分、を、前記トータルコーデックのビット配分から減算するステップを含む、使われないビット配分を決定するステップを含む、請求項8から11のいずれか一項に記載の音響信号をエンコードまたはデコードするための方法。
【請求項１３】
前記第1のCELPコアモジュール部分のうちの少なくとも1つのエンコードに、前記使われないビット配分を割り振るステップを含む、請求項12に記載の音響信号をエンコードまたはデコードするための方法。
【請求項１４】
変換ドメインコードブックのエンコードに、前記使われないビット配分を割り振るステップを含む、請求項12に記載の音響信号をエンコードまたはデコードするための方法。
【請求項１５】
前記変換ドメインコードブックのエンコードに、前記使われないビット配分を割り振るステップが、前記使われないビット配分の第1の部分を変換ドメインパラメータに割り振るステップ、および前記変換ドメインコードブック内のベクトル量子化器に、前記使われないビット配分の第2の部分を割り振るステップを含む、請求項14に記載の音響信号をエンコードまたはデコードするための方法。
【請求項１６】
前記音響信号のフレームのサブフレーム全ての中に、前記使われないビット配分の前記第2の部分を分配するステップを含む、請求項15に記載の音響信号をエンコードまたはデコードするための方法。
【請求項１７】
最高のビット配分が、前記フレームの第1のサブフレームに割り振られる、請求項16に記載の音響信号をエンコードまたはデコードするための方法。
【請求項１８】
CELPコアモジュールおよび少なくとも1つの補足コーデックモジュールを使用して音響信号をエンコードまたはデコードするための方法であって、前記CELPコアモジュールが、複数のCELPコアモジュール部分を備え、可変のビット配分が、前記CELPコアモジュールに割り振られ、
請求項1から7のいずれか一項に記載の方法を使用して、前記可変のCELPコアモジュールのビット配分を前記CELPコアモジュール部分に割り振るステップ
を含む、音響信号をエンコードまたはデコードするための方法。
【請求項１９】
音響信号をエンコードするためのエンコーダまたは音響信号をデコードするためのデコーダのCELPコアモジュールの複数の第1の部分にビット配分を割り振るためのデバイスであって、
前記第1のCELPコアモジュール部分に個々のビット配分を、複数の中間ビットレートのそれぞれに対して割り当てるビット配分割振テーブルを格納するためのメモリと、
CELPコアモジュールのビットレートの計算器と、
前記CELPコアモジュールのビットレートに基づく前記中間ビットレートのうちの1つの選択器と、
選択した中間ビットレートについての前記ビット配分割振テーブルによって割り当てられた前記個々のビット配分の、前記第1のCELPコアモジュール部分へのアロケータと
を備える、ビット配分を割り振るためのデバイス。
【請求項２０】
前記CELPコアモジュールが、第2の部分を含み、前記ビット配分割振デバイスが、前記選択した中間ビットレートについての前記ビット配分割振テーブルによって割り当てられた前記個々のビット配分を前記第1のCELPコアモジュール部分に割り振った後に残ったビット配分の、前記第2のCELPコアモジュール部分へのアロケータを備える、請求項19に記載のビット配分割振デバイス。
【請求項２１】
前記第1のCELPコアモジュール部分が、LPフィルタ係数、CELP適応コードブック、CELP適応コードブック利得、およびCELPイノベーションコードブック利得のうちの少なくとも1つを含む、請求項19または20に記載のビット配分割振デバイス。
【請求項２２】
前記第2のCELPコアモジュール部分が、CELPイノベーションコードブックを含む、請求項20または21に記載のビット配分割振デバイス。
【請求項２３】
前記選択器が、前記中間ビットレートの、前記CELPコアモジュールのビットレートに最も近い高い方の1つを選択する、請求項19から22のいずれか一項に記載のビット配分割振デバイス。
【請求項２４】
前記選択器が、前記中間ビットレートの、前記CELPコアモジュールのビットレートに最も近い低い方の1つを選択する、請求項19から22のいずれか一項に記載のビット配分割振デバイス。
【請求項２５】
前記第2のCELPコアモジュール部分のビット配分アロケータが、前記音響信号の連続フレームの全てのサブフレームの間に前記第2のCELPコアモジュール部分のビット配分を分配する、請求項20から24のいずれか一項に記載のビット配分割振デバイス。
【請求項２６】
CELPコアモジュールおよび補足コーデックモジュールを使用して音響信号をエンコードまたはデコードするためのデバイスであって、
前記補足コーデックモジュールによって使用されるビット配分の少なくとも1つのカウンタと、
CELPコアモジュールのビット配分を決定するための、前記補足コーデックモジュールのビット配分の、トータルコーデックのビット配分からの減算器と、
前記第1のCELPコアモジュール部分に前記CELPコアモジュールのビット配分を割り振るための、請求項19から25のいずれか一項に記載のデバイスであって、前記計算器が、前記CELPコアモジュールのビット配分を使用して、前記CELPコアモジュールのビットレートを決定する、デバイスと
を備える、音響信号をエンコードまたはデコードするためのデバイス。
【請求項２７】
CELPコアモジュールおよび補足コーデックモジュールを使用して音響信号をエンコードまたはデコードするためのデバイスであって、
コーデックシグナリングのために使用される第1のビット配分のカウンタと、
前記補足コーデックモジュールによって使用される第2のビット配分の少なくとも1つのカウンタと、
CELPコアモジュールのビット配分を決定するための、前記第1および第2のビット配分の、トータルコーデックのビット配分からの減算器と、
前記第1のCELPコアモジュール部分に前記CELPコアモジュールのビット配分を割り振るための、請求項19から25のいずれか一項に記載のデバイスであって、前記計算器が、前記CELPコアモジュールのビット配分を使用して、前記CELPコアモジュールのビットレートを決定する、デバイスと
を備える、音響信号をエンコードまたはデコードするためのデバイス。
【請求項２８】
前記CELPコアモジュールのビットレートの前記計算器が、
CELPコアモジュールシグナリングのために使用されるビット配分のカウンタと、
前記CELPコアモジュールのビットレートを決定する際に使用されるCELPコアモジュール部分のためのビット配分を決定するための、CELPコアモジュールシグナリングビット配分の、前記CELPコアモジュールのビット配分からの減算器と
を備える、請求項26または27に記載の音響信号をエンコードまたはデコードするためのデバイス。
【請求項２９】
前記補足コーデックモジュールが、ステレオモジュールおよび帯域幅拡張モジュールのうちの少なくとも1つを備える、請求項26から28のいずれか一項に記載の音響信号をエンコードまたはデコードするためのデバイス。
【請求項３０】
使われないビット配分を決定するための、(a)前記補足コーデックモジュールに割り振られた前記ビット配分、(b)前記第1のCELPコアモジュール部分に割り振られた前記ビット配分、および(c)前記第2のCELPコアモジュール部分に割り振られた前記ビット配分、の、前記トータルコーデックのビット配分からの減算器を備える、請求項26から29のいずれか一項に記載の音響信号をエンコードまたはデコードするためのデバイス。
【請求項３１】
前記第1のCELPコアモジュール部分のうちの少なくとも1つのエンコードへの前記使われないビット配分のアロケータを備える、請求項30に記載の音響信号をエンコードまたはデコードするためのデバイス。
【請求項３２】
変換ドメインコードブックのエンコードへの前記使われないビット配分のアロケータを備える、請求項30に記載の音響信号をエンコードまたはデコードするためのデバイス。
【請求項３３】
前記変換ドメインコードブックのエンコードへの前記使われないビット配分の前記アロケータが、前記使われないビット配分の第1の部分を変換ドメインパラメータに割り振ること、および前記変換ドメインコードブック内のベクトル量子化器に、前記使われないビット配分の第2の部分を割り振ること、を行う、請求項32に記載の音響信号をエンコードまたはデコードするためのデバイス。
【請求項３４】
前記変換ドメインコードブックのエンコードへの前記使われないビット配分の前記アロケータが、前記音響信号のフレームの全てのサブフレームの中に、前記使われないビット配分の前記第2の部分を分配する、請求項33に記載の音響信号をエンコードまたはデコードするためのデバイス。
【請求項３５】
前記変換ドメインコードブックのエンコードへの前記使われないビット配分の前記アロケータが、前記フレームの第1のサブフレームに最高のビット配分を割り振る、請求項34に記載の音響信号をエンコードまたはデコードするためのデバイス。
【請求項３６】
CELPコアモジュールおよび少なくとも1つの補足コーデックモジュールを使用して音響信号をエンコードまたはデコードするためのデバイスであって、前記CELPコアモジュールが、複数のCELPコアモジュール部分を備え、可変のビット配分が、前記CELPコアモジュールに割り振られ、
請求項19から25のいずれか一項に記載のデバイスを使用して、前記可変のCELPコアモジュールのビット配分を前記CELPコアモジュール部分に割り振るためのデバイス
を備える、音響信号をエンコードまたはデコードするためのデバイス。